(57)【要約】【課題】不発粒の誤食を防止する分離器及び容器を提供する。【解決手段】容器に、ポップコーンＰが入れられると、分離器２００の上底部２１０上に当該ポップコーンＰが盛られる。容器には、ポップコーンＰとともに不発粒Ｈが入ってしまう。ポップコーンＰ及び不発粒Ｈが入った容器を揺すると、不発粒Ｈは、下方に移動し、分離器２００上に落ちる。分離器２００に落ちた不発粒Ｈは、上底部２１０上を下り、環状板２１５まで移動し、切り欠き孔のいずれかを通過して、最終的にはカップ１００の底１２０に落ちる。一方、ポップコーンＰは、切り欠き孔を通過できない。これにより、ポップコーンＰと不発粒Ｈとが分離され、不発粒Ｈは、主に底１２０と上底部２１０との間に移動する。ポップコーンＰを食べる者は、底１２０に落ちた不発粒Ｈを取ることができない。【選択図】図４
2019167135.tif 000002
【特許請求の範囲】
【請求項１】
ポップコーンを入れるカップ内に配置される分離器であって、
前記分離器が前記カップ内に配置されたときに、前記カップの底を覆い、前記カップの前記底を下底とする二重底の上底となる上底部を備え、
前記上底部は、
前記ポップコーンに混ざった不発粒が下る傾斜面と、
前記ポップコーンは通過しないが前記不発粒は通過する大きさで、前記傾斜面を下った前記不発粒が通過して下方に落ちることが可能な通過孔と、
を備える、
分離器。
【請求項２】
前記傾斜面は、下方に凸の湾曲面を有し、
前記湾曲面の最下部は、前記通過孔に向かって延びかつ下っている、
請求項１に記載の分離器。
【請求項３】
前記傾斜面は、上に凸の錘台の側部形状の部分を有し、
前記上底部は、複数の前記通過孔を備え、
前記複数の通過孔は、前記側部形状の部分の外周に沿って配置されている、
請求項１又は２に記載の分離器。
【請求項４】
前記傾斜面は、上に凸の角錐台の側部形状の部分を有し、
前記側部形状の部分は、前記角錐台の側面それぞれに相当し下方に凸の複数の湾曲面を有し、
前記上底部は、複数の前記通過孔を備え、
前記複数の湾曲面それぞれの最下部は、前記複数の通過孔それぞれに向かって延びかつ下っている、
請求項１から３のいずれか１項に記載の分離器。
【請求項５】
ポップコーンを入れるカップ状の容器であって、
二重底を構成している上底及び下底を備え、
前記上底は、
前記ポップコーンに混ざった不発粒が下る傾斜面と、
前記ポップコーンは通過しないが前記不発粒は通過する大きさで、前記傾斜面を下った前記不発粒が通過して下方に落ちることが可能な通過孔と、
を備える、
容器。
【発明の詳細な説明】
【技術分野】
【０００１】
本発明は、ポップコーン用の分離器及び容器に関する。
【背景技術】
【０００２】
ポップコーンを入れる容器として種々の容器が開発されている。例えば、特許文献１には、ポップコーンを入れることが可能な蓋付きの容器が開示されている。
【先行技術文献】
【特許文献】
【０００３】
【特許文献１】特開２０１２−１４８７８９号公報
【発明の概要】
【発明が解決しようとする課題】
【０００４】
ポップコーンは、ポップ種のトウモロコシの粒を加熱して弾けさせて作られる。しかし、作られたポップコーンには、弾けなかった粒（不発粒）が混入することもある。このような不発粒が混ざった状態のポップコーンを容器に入れた場合、ポップコーンを食べる人が、不発粒を誤食してしまうことがある。特許文献１に記載の容器では、この誤食が考慮されていない。
【０００５】
本発明は、不発粒の誤食を防止する分離器及び容器を提供することを目的とする。
【課題を解決するための手段】
【０００６】
上記目的を達成するため、本発明の第１の観点に係る分離器は、
ポップコーン（例えば、ポップコーンＰ）を入れるカップ（例えば、カップ１００）内に配置される分離器（例えば、分離器２００、３００）であって、
前記分離器が前記カップ内に配置されたときに、前記カップの底（例えば、底１２０）を覆い、前記カップの前記底を下底とする二重底の上底となる上底部（例えば、上底部２１０、３１０）を備え、
前記上底部は、
前記ポップコーンに混ざった不発粒（例えば、不発粒Ｈ）が下る傾斜面（例えば、環状傾斜部２１２、湾曲傾斜部２１３Ａ〜２１３Ｉ、稜線傾斜部２１４Ａ〜２１４Ｉの各上面から構成される傾斜面）と、
前記ポップコーンは通過しないが前記不発粒は通過する大きさで、前記傾斜面を下った前記不発粒が通過して下方に落ちることが可能な通過孔（例えば、切り欠き孔２１７Ａ〜２１７Ｉ、貫通孔３１７Ａ〜３１７Ｉ）と、
を備える。
【０００７】
前記傾斜面は、下方に凸の湾曲面（例えば、湾曲傾斜部２１３Ａ〜２１３Ｉ）を有し、
前記湾曲面の最下部（例えば、最下部Ｍ）は、前記通過孔に向かって延びかつ下っている（例えば、図１、図６参照）、
ようにしてもよい。
【０００８】
前記傾斜面は、上に凸の錘台の側部形状の部分（例えば、湾曲傾斜部２１３Ａ〜２１３Ｉ、稜線傾斜部２１４Ａ〜２１４Ｉの各上面から構成される九角錐の側部形状の傾斜面）を有し、
前記上底部は、複数の前記通過孔（例えば、切り欠き孔２１７Ａ〜２１７Ｉ、貫通孔３１７Ａ〜３１７Ｉ）を備え、
前記複数の通過孔は、前記錘台の側部形状の部分の外周に沿って配置されている（例えば、図１、図６参照）、
ようにしてもよい。
【０００９】
前記傾斜面は、上に凸の角錐台の側部形状の部分（例えば、湾曲傾斜部２１３Ａ〜２１３Ｉ、稜線傾斜部２１４Ａ〜２１４Ｉの各上面から構成される九角錐の側部形状の傾斜面）を有し、
前記側部形状の部分は、前記角錐台の側面それぞれに相当し下方に凸の複数の湾曲面（例えば、湾曲傾斜部２１３Ａ〜２１３Ｉ）を有し、
前記上底部は、複数の前記通過孔（例えば、切り欠き孔２１７Ａ〜２１７Ｉ、貫通孔３１７Ａ〜３１７Ｉ）を備え、
前記複数の湾曲面それぞれの最下部（例えば、最下部Ｍ）は、前記複数の通過孔それぞれに向かって延びかつ下っている（例えば、図１、図６参照）、
ようにしてもよい。
【００１０】
上記目的を達成するため、本発明の第２の観点に係る容器は、
ポップコーン（例えば、ポップコーンＰ）を入れるカップ状の容器（例えば、容器１０）であって、
二重底を構成している上底（例えば、上底部２１０）及び下底（例えば、底１２０）を備え、
前記上底は、
前記ポップコーンに混ざった不発粒（例えば、不発粒Ｈ）が下る傾斜面（例えば、環状傾斜部２１２、湾曲傾斜部２１３Ａ〜２１３Ｉ、稜線傾斜部２１４Ａ〜２１４Ｉの各上面から構成される傾斜面）と、
前記ポップコーンは通過しないが前記不発粒は通過する大きさで、前記傾斜面を下った前記不発粒が通過して下方に落ちることが可能な通過孔（例えば、切り欠き孔２１７Ａ〜２１７Ｉ、貫通孔３１７Ａ〜３１７Ｉ）と、
を備える。
【発明の効果】
【００１１】
本発明によれば、不発粒の誤食を防止する分離器及び容器を提供できる。
【図面の簡単な説明】
【００１２】
【図１】本発明の一実施の形態に係る容器の平面図。
【図２】本発明の一実施の形態に係る分離器を斜め上から見た分離器の斜視図。
【図３】本発明の一実施の形態に係る分離器を斜め下から見た分離器の斜視図。
【図４】図１の容器であってポップコーンＰ及び不発粒Ｈが入った容器の断面図。
【図５】図１の容器であってポップコーンＰ及び不発粒Ｈが入った容器の斜視図。
【図６】本発明の一実施の形態の変形例に係る容器の平面図。
【発明を実施するための形態】
【００１３】
以下、本発明の一実施形態に係る容器１０等について、図１〜図５を参照しながら説明する。
【００１４】
（容器１０の構造）
容器１０は、カップ１００（図１、図４、及び図５）と、分離器２００（図１〜図５）と、を備える。容器１０は、映画館等で販売されるポップコーンＰ（図４、図５）の容器として使用される。容器１０には、ポップコーンＰの他、ポップコーンＰを作る過程において弾けることができなかったトウモロコシの粒である不発粒Ｈ（図４、図５）も混入してしまう。
【００１５】
カップ１００は、カップ１００の側壁を形成している筒体１１０と、筒体１１０の下側開口を塞いでおり、カップ１００の底を形成している底１２０と、を備える。カップ１００は、紙製、樹脂製等であればよい。
【００１６】
分離器２００は、シートを立体形状に成形した形状を有する。分離器２００は、例えば一定の厚みで形成されている。分離器２００は、カップ１００内に配置される。具体的に、分離器２００は、カップ１００の底１２０に載置され、カップ１００に入れられたポップコーンＰと不発粒Ｈとのうち不発粒Ｈのみを底１２０に落とす（詳細は後述）。このようにして、分離器２００は、ポップコーンＰと不発粒Ｈとを分離する。
【００１７】
分離器２００は、上底部２１０と、支持脚２３０Ｐ〜２３０Ｒと、を備える。分離器２００は、例えば、合成樹脂により射出成形、圧空成型、又は、真空成型で、一体に形成されていてもよい。また、合成樹脂以外に、紙を分離器２００の素材として用いてもよい。紙を素材とする場合、例えばパルプモールド成形により分離器２００を形成してもよい。また、紙に合成樹脂を積層し、積層後のものにプレス成形を行う方法などにより、分離器２００を形成してもよい。
【００１８】
上底部２１０は、底１２０を覆う。分離器２００がカップ１００の底１２０に載置されることで、底１２０を下底、上底部２１０を上底とする二重底が形成される。
【００１９】
上底部２１０は、頂部２１１と、環状傾斜部２１２と、湾曲傾斜部２１３Ａ〜２１３Ｉと、稜線傾斜部２１４Ａ〜２１４Ｉと、環状板２１５と、舌片２１６Ａ〜２１６Ｉと、切り欠き孔２１７Ａ〜２１７Ｉと、を備える。
【００２０】
頂部２１１は、分離器２００の中央かつ最も上方（カップ１００の開口側）に位置している。頂部２１１は、円板状に形成されている。
【００２１】
環状傾斜部２１２と、湾曲傾斜部２１３Ａ〜２１３Ｉと、稜線傾斜部２１４Ａ〜２１４Ｉと、は、上底部２１０の中央の大部分を占め、全体で、内周が高く、外周側に向けて下っている１つの傾斜面を形成している。なお、環状傾斜部２１２と、湾曲傾斜部２１３Ａ〜２１３Ｉと、稜線傾斜部２１４Ａ〜２１４Ｉと、は、シートを立体形状に形成したものであり、以下で説明する各部の形状の説明は、その各部の上面によって形成される傾斜面の説明でもある。
【００２２】
環状傾斜部２１２は、平面視したときに環状であり、頂部２１１を上面とする上に凸の円錐台の側部（側面）形状（ほぼ側部といえる形状を含む。他の形状についても同様）に形成されている。従って、環状傾斜部２１２は、内周から外周に向けて下った形状である。環状傾斜部２１２の内周縁は、頂部２１１に繋がっており、環状傾斜部２１２の外周縁は、湾曲傾斜部２１３Ａ〜２１３Ｉ及び稜線傾斜部２１４Ａ〜２１４Ｉに繋がっている。
【００２３】
湾曲傾斜部２１３Ａ〜２１３Ｉそれぞれと、稜線傾斜部２１４Ａ〜２１４Ｉそれぞれとは、交互に配置され、隣り合うもの同士は繋がっている。例えば、湾曲傾斜部２１３Ａは、稜線傾斜部２１４Ａと稜線傾斜部２１４Ｂとに挟まれ、両者と繋がっている。湾曲傾斜部２１３Ａ〜２１３Ｉと稜線傾斜部２１４Ａ〜２１４Ｉとからなる部分は、上に凸の九角錐台の側面及び斜辺からなる側部形状に形成されている。湾曲傾斜部２１３Ａ〜２１３Ｉそれぞれは、当該九角錐台の各側面に相当しており、各側面の形状に形成されている。稜線傾斜部２１４Ａ〜２１４Ｉそれぞれは、当該九角錐台の各斜辺（稜線）に相当しており、各斜辺の形状に形成されている。
【００２４】
湾曲傾斜部２１３Ａ〜２１３Ｉは、平面視したとき（上方から見たとき）に、環状傾斜部２１２から環状板２１５に向けて放射状に延びている。湾曲傾斜部２１３Ａ〜２１３Ｉそれぞれは、同形状であり、以下では、湾曲傾斜部２１３Ａ〜２１３Ｉを総称して湾曲傾斜部２１３ともいう。
【００２５】
湾曲傾斜部２１３は、環状板２１５に向けて末広がりに広がる台形形状に形成されている。湾曲傾斜部２１３は、環状傾斜部２１２側の一端部（台形の上辺部）よりも、環状板２１５側の他端部（台形の下辺部）の方が低くなるように傾斜している。さらに、湾曲傾斜部２１３は、上底部２１０の周方向の中央が低くなるように、下方（底１２０側）に凸に湾曲している。従って、湾曲傾斜部２１３における湾曲形状の最下部Ｍは、湾曲傾斜部２１３の前記一端部の中央から前記他端部の中央に延びている。湾曲傾斜部２１３Ａ〜２１３Ｉそれぞれの最下部Ｍは、湾曲傾斜部２１３を中心として環状板２１５に向けて放射状に延びている。湾曲傾斜部２１３の前記他端部の中央部（湾曲した下部分）は、環状板２１５に繋がっている。
【００２６】
稜線傾斜部２１４Ａ〜２１４Ｉは、環状傾斜部２１２から環状板２１５に向けて放射状に延びている。稜線傾斜部２１４Ａ〜２１４Ｉそれぞれは、同形状であり、以下では、稜線傾斜部２１４Ａ〜２１４Ｉを総称して稜線傾斜部２１４ともいう。
【００２７】
稜線傾斜部２１４は、環状傾斜部２１２側の一端部よりも環状板２１５側の他端部の方が低くなるように傾斜している。稜線傾斜部２１４の前記他端部は、下方に屈曲し、環状板２１５に繋がっている。また、当該他端部は、環状板２１５側に向けて徐々に幅広となる形状に形成されており、湾曲傾斜部２１３の前記他端部の中央部以外の部分と環状板２１５とに繋がって、両者の間を埋めている。
【００２８】
環状板２１５は、湾曲傾斜部２１３Ａ〜２１３Ｉと稜線傾斜部２１４Ａ〜２１４Ｉとを囲む、板状の環状部分である。環状板２１５は、カップ１００の底１２０と平行なドーナツ板状に形成されている。環状板２１５の内周縁は、湾曲傾斜部２１３Ａ〜２１３Ｉ及び稜線傾斜部２１４Ａ〜２１４Ｉに繋がっている。
【００２９】
舌片２１６Ａ〜２１６Ｉそれぞれは、環状板２１５の外周縁から外側に突出した底１２０と平行な平板状の凸部である。舌片２１６Ａ〜２１６Ｉそれぞれは、カップ１００の筒体１１０の内周面近傍まで延び、内周面に対向する。このため、舌片２１６Ａ〜２１６Ｉは、分離器２００がカップ１００内で大きく移動しないように当該分離器２００を位置決めする機能を有する。舌片２１６Ａ〜２１６Ｉそれぞれは、稜線傾斜部２１４Ａ〜２１４Ｉそれぞれに対応した位置に設けられている（符号のアルファベットが同じもの同士が対応している）。具体的に、舌片２１６Ａ〜２１６Ｉそれぞれは、平面視において、対応する稜線傾斜部２１４の延長線上（傾斜方向の先）に位置している。例えば、舌片２１６Ａは、稜線傾斜部２１４Ａの延長線上に位置している。
【００３０】
舌片２１６Ａ、２１６Ｄ、及び、２１６Ｇは、支持脚２３０Ｐ〜２３０Ｒを設けるスペースを確保するため、舌片２１６Ｂ、２１６Ｃ、２１６Ｅ、２１６Ｆ、２１６Ｈ、及び、２１６Ｉよりも、幅（環状板２１５の周方向の長さ）が広い。なお、舌片２１６Ａ〜２１６Ｉを、総称して、舌片２１６ともいう。
【００３１】
切り欠き孔２１７Ａ〜２１７Ｉは、環状板２１５と、飛び飛びに設けられている舌片２１６Ａ〜２１６Ｉと、により形成されている。切り欠き孔２１７Ａ〜２１７Ｉそれぞれは、上底部２１０の外周を切り欠いた部分である。切り欠き孔２１７Ａ〜２１７Ｉそれぞれは、湾曲傾斜部２１３Ａ〜２１３Ｉそれぞれに対応した位置に設けられている（符号のアルファベットが同じもの同士が対応している）。具体的に、切り欠き孔２１７Ａ〜２１７Ｉそれぞれは、平面視において、対応する湾曲傾斜部２１３の傾斜方向（前記一端部から前記他端部に向かう方向）の延長上に位置している。特に、切り欠き孔２１７Ａ〜２１７Ｉそれぞれは、平面視において、対応する湾曲傾斜部２１３の湾曲形状における最下部Ｍの延長線上に配置されている。例えば、切り欠き孔２１７Ａは、最下部Ｍの延長線上に位置している部分を有する。つまり、最下部Ｍは、切り欠き孔２１７Ａに向けて下っている。切り欠き孔２１７Ａ〜２１７Ｉは、湾曲傾斜部２１３Ａ〜２１３Ｉ及び稜線傾斜部２１４Ａ〜２１４Ｉからなる部分の周方向に沿ってならんでいる。
【００３２】
切り欠き孔２１７Ａ〜２１７Ｉのうち、切り欠き孔２１７Ｂ、２１７Ｅ及び２１７Ｈは、残りの切り欠き孔２１７よりも幅が広い。これは、舌片２１６Ａ、２１６Ｄ、及び、２１６Ｇの幅が、他の舌片２１６よりも広いからである。切り欠き孔２１７Ａ〜２１７Ｉを、総称して、切り欠き孔２１７ともいう。
【００３３】
切り欠き孔２１７は、カップ１００の筒体１１０の内周面と対向する。切り欠き孔２１７は、筒体１１０の内周面と対向したときに、ポップコーンＰは通過しないが不発粒Ｈは通過することができる形状に形成されている。
【００３４】
支持脚２３０Ｐは、幅広の舌片２１６Ａと環状板２１５との境界部分に設けられている。支持脚２３０Ｑは、幅広の舌片２１６Ｄと環状板２１５との境界部分に設けられている。支持脚２３０Ｒは、幅広の舌片２１６Ｇと環状板２１５との境界部分に設けられている。支持脚２３０Ｐ〜２３０Ｒは、同形状であり、総称して、支持脚２３０ともいう。支持脚２３０は、シートを下に凸に屈曲させた形状に形成されている。支持脚２３０は、環状板２１５及び舌片２１６Ａ等から下側に突出している。支持脚２３０の下端は、カップ１００の底１２０に当たる。従って、支持脚２３０Ｐ〜２３０Ｒは、上底部２１０を、カップ１００の底１２０よりも上方の位置（底１２０から離れた位置）で支持する。
【００３５】
（容器１０の作用効果）
カップ１００の底１２０に分離器２００が載置された容器１０に、ポップコーンＰが入れられると、分離器２００の上底部２１０がカップ１００の底１２０よりも上方に位置しているので、当該上底部２１０上に当該ポップコーンＰが盛られる。容器１０には、ポップコーンＰとともに不発粒Ｈが入ってしまう。例えばポップコーンＰ及び不発粒Ｈが入った容器１０を揺すると、不発粒Ｈは、下方に移動し、分離器２００（上底部２１０）上に落ちる。分離器２００に落ちた不発粒Ｈは、上底部２１０（特に、環状傾斜部２１２、湾曲傾斜部２１３Ａ〜２１３Ｉ、及び、稜線傾斜部２１４Ａ〜２１４Ｉにより形成される、内周から外周に向けて下った傾斜面。なお、当該傾斜面を以下、傾斜面Ｋともいう。）上を下る（転げ落ち又は滑り落ちる）。下った不発粒Ｈは、環状板２１５まで移動し、切り欠き孔２１７Ａ〜２１７Ｉのいずれかを通過して、最終的にはカップ１００の底１２０に落ちる。一方、ポップコーンＰは、切り欠き孔２１７Ａ〜２１７Ｉを通過できない。これにより、ポップコーンＰと不発粒Ｈとが分離され、不発粒Ｈは、主に底１２０と上底部２１０との間に移動する。ポップコーンＰを食べる者は、上底部２１０により、底１２０まで手を入れることができない。従って、ポップコーンＰを食べる者は、底１２０に落ちた不発粒Ｈを取ることができない。これにより、ポップコーンＰを食べる者が、不発粒Ｈを食べてしまうことを防止できる。
【００３６】
また、湾曲傾斜部２１３は、上底部２１０の周方向における中央が低くなるように、下方（底１２０側）に凸に湾曲しているので、湾曲傾斜部２１３上の不発粒Ｈは、当該湾曲傾斜部２１３の湾曲形状における最下部Ｍに移動し（転げ又は滑り落ちやすい）、最下部Ｍ上を下りやすい（転げ又は滑り落ちやすい）（図５の矢印Ｎを参照）。その後、不発粒Ｈは、当該最下部Ｍの延長上に位置する切り欠き孔２１７を通過し底１２０に落ちる。以上のように、この分離器２００は、湾曲傾斜部２１３により、不発粒Ｈを効率的に切り欠き孔２１７Ａ〜２１７Ｉのいずれかに集めることができる形状になっている。つまり、分離器２００は、効率良く不発粒ＨとポップコーンＰとを分離できる。また、稜線傾斜部２１４は、幅狭であるため、稜線傾斜部２１４上に落ちた不発粒Ｈは、隣の湾曲傾斜部２１３に移動しやすい（転げ又は滑り落ちやすい）。これにより、不発粒Ｈは、最終的に切り欠き孔２１７Ａ〜２１７Ｉに移動しやすく、分離器２００は、効率良く不発粒ＨとポップコーンＰとを分離できる。
【００３７】
また、上底部２１０は、湾曲傾斜部２１３Ａ〜２１３Ｉと、稜線傾斜部２１４Ａ〜２１４Ｉとにより形成された１つの傾斜面を有し、当該傾斜面は、上に凸の九角錐台の側部形状であり、内周から外周に向けて下っている形状である。そして、その傾斜面の外周に沿って、切り欠き孔２１７Ａ〜２１７Ｉが並んで配置されているので、傾斜面を下った不発粒Ｈは、切り欠き孔２１７Ａ〜２１７Ｉのいずれかに容易に落ちることができる。このように、分離器２００は、効率良く不発粒ＨとポップコーンＰとを分離できる。
【００３８】
また、上底部２１０は、上に凸の九角錐台の側部形状の部分（湾曲傾斜部２１３Ａ〜２１３Ｉと、稜線傾斜部２１４Ａ〜２１４Ｉとからなる部分）を有し、当該部分は、前記角錐台の側面それぞれに相当しかつ下方に凸の複数の湾曲面（湾曲傾斜部２１３Ａ〜２１３Ｉの各傾斜面）を有し、各湾曲面の最下部は、切り欠き孔２１７Ａ〜２１７Ｉそれぞれに向かって延びかつ下っている。これにより、不発粒Ｈは、切り欠き孔２１７Ａ〜２１７Ｉのいずれかに容易に落ちることができる。このように、分離器２００は、効率良く不発粒ＨとポップコーンＰとを分離できる。
【００３９】
（変形例）
本発明は、上記実施の形態に限定されない。上記の実施の形態について、種々の変形を適用してもよい。以下、変形例を例示するが、各変形例の少なくとも一部同士を組みあわせてもよい。なお、以下では、上記実施の形態で説明したものと同じ、同等、又は、対応するものについては、同じ符号を付している。
【００４０】
（変形例１）
分離器２００の形状を、他の形状に変更してもよく、例えば、図６に示す分離器３００のような形状としてもよい。分離器３００の上底部３１０は、切り欠き孔２１７Ａ〜２１７Ｉの代わりに、貫通孔３１７Ａ〜３１７Ｉ（総称して、貫通孔３１７ともいう。）を備える。貫通孔３１７は、上底部３１０の環状板３１５に設けられる。環状板３１５は、環状板２１５及び舌片２１６Ａ〜２１６Ｉの代わりに設けられている。環状板３１５は、湾曲傾斜部２１３Ａ〜２１３Ｉと稜線傾斜部２１４Ａ〜２１４Ｉとを囲む板状部分である。環状板３１５は、カップ１００の底１２０と平行なドーナツ板状に形成されており、湾曲傾斜部２１３Ａ〜２１３Ｉ及び稜線傾斜部２１４Ａ〜２１４Ｉに繋がっている。貫通孔３１７Ａ〜３１７Ｉは、この環状板３１５に、周方向に沿って並んで形成されている。環状板３１５の外周は、カップ１００の筒体１１０の内周面近傍で全周にわたって対向する（これにより、分離器３００位置決めされる）。貫通孔３１７Ａ〜３１７Ｉは、切り欠き孔２１７Ａ〜２１７Ｉと同様の位置（つまり、対応する湾曲傾斜部２１３の傾斜方向の延長上の位置）にあればよい。これにより、貫通孔３１７Ａ〜３１７Ｉに不発粒Ｈを効率的に集めることができる。
【００４１】
このように分離器は、切り欠き孔２１７、貫通孔３１７などの、ポップコーンＰは通過するが、不発粒Ｈは通過可能な通過孔であって、上底部２１０の傾斜面を下った不発粒Ｈが通過可能な位置に設けられた通過孔を有するとよい。なお、通過孔は、切り欠き孔２１７等の切り欠きを含む。分離器には、複数の通過孔が設けられることが好ましい。複数の通過孔のうちの一部は、切り欠き孔２１７からなり、複数の通過孔のうちの残りは、貫通孔３１７からなってもよい。
【００４２】
切り欠き孔２１７、貫通孔３１７等の通過孔の数は、任意である。例えば、切り欠き孔２１７Ａと切り欠き孔２１７Ｂとを繋げてもよい（つまり、舌片２１６Ａを省略してもよい）。貫通孔３１７Ａと貫通孔３１７Ｂとを繋げてもよい。当該通過孔は、上記傾斜面Ｋの外周を囲むように形成されることで、不発粒Ｈを効率的にカップ１００の底１２０に落とすことができる。
【００４３】
例えば、分離器３００に、貫通孔３１７を下方から覆う上部開口の箱状の凹部（環状板３１５の一部を下方に凸となるように屈曲させた部分等）を形成してもよい。この場合、上記通過孔は前記凹部の開口となり、当該通過孔を通った不発粒Ｈは、底１２０に落ちるのではなく、凹部内に落ちて捕集されてもよい。
【００４４】
通過孔の位置は、分離器２００の中央であってもよい。この場合、例えば、上底部２１０を下方に凸のすり鉢形状とし、そのすり鉢の底に通過孔を設ける。
【００４５】
（変形例２）
上底部２１０の形状は、不発粒Ｈが下る傾斜面（上記実施の形態では、傾斜面Ｋ）を有する形状であれば、任意である。例えば、湾曲傾斜部２１３と稜線傾斜部２１４との数を変更してもよい。例えば、湾曲傾斜部２１３と稜線傾斜部２１４とを７つずつにして、上底部２１０の傾斜面を、上に凸の七角錐台の側部形状の部分（面）を有する形状に変更してもよい。また、湾曲傾斜部２１３と稜線傾斜部２１４の部分を、上に凸の円錐台の側面形状に変更してもよい。環状傾斜部２１２の形状も、角錐台の側面形状に変更してもよい。頂部２１１と、環状傾斜部２１２と、湾曲傾斜部２１３と、稜線傾斜部２１４と、からなる部分を、円錐の側部（側面）形状、角錐の側部（側面及び斜辺）形状、円錐台の上面及び側部（側面）形状、角錐台の上面及び側部（側面及び斜辺）形状に変更してもよい。
【００４６】
上底部２１０が有する前記傾斜面は、通過孔に向かって下っているとよい。特に、当該傾斜面は、湾曲傾斜部２１３の傾斜面のように、下方に凸で、その最下部が、前記の通過孔に向かって延びかつ下っている湾曲面を有するとよい。また、当該傾斜面は、上に凸の錘台（円錐台及び角錐台を含む）の側部形状の部分（面）を有し、前記のような複数の通過孔が、前記錘台の側部形状の部分の外周に沿って配置されているとよい。当該傾斜面を形成している傾斜部（上記実施の形態では、環状傾斜部２１２、湾曲傾斜部２１３Ａ〜２１３Ｉ、及び、稜線傾斜部２１４Ａ〜２１４Ｉから構成される部分）は、円錐台、角錐台等の他、円錐、角錐等の形状であってもよい。当該傾斜面は、全体として円錐又は角錐の側部形状であってもよい。この場合、当該傾斜面の一部として、錘台の側部の形状の部分が形成されることになり、当該傾斜面は、当該部分を有することになる。また、傾斜面は、上に凸の角錐台の側部形状の部分を有し、当該部分は、前記角錐台の側面それぞれに相当する、下方に凸の複数の湾曲面を有し、各湾曲面の最下部は、通過孔それぞれに向かって延びかつ下っているようにするとよい。
【００４７】
（変形例３）
支持脚２３０Ｐ〜２３０Ｒ（支持部）を設けなくてもよい。この場合、例えば、分離器２００は、上底部２１０のみから構成され、上底部２１０の外周部（舌片２１６）がカップ１００の筒体１１０（上開口側が幅広となっている）の内壁に引っ掛かるようにして、カップ１００内に配置されてもよい。また、上記の分離器２００等の分離器は、カップ１００から取り外し自在であるが、分離器とカップ１００とを一体的に形成し、または、分離器をカップ１００に固定し、カップ１００から分離器を取り外しできないようにしてもよい。また、上記上底部２１０等は、シート状でなくてもよい。
【符号の説明】
【００４８】
１０  容器
１００  カップ
１１０  筒体
１２０  底
２００  分離器
２１０  上底部
２１１  頂部
２１２  環状傾斜部
２１３Ａ〜２１３Ｉ  湾曲傾斜部
２１４Ａ〜２１４Ｉ  稜線傾斜部
２１５  環状板
２１６Ａ〜２１６Ｉ  舌片
２１７Ａ〜２１７Ｉ  切り欠き孔
２３０Ｐ〜２３０Ｒ  支持脚
３００  分離器
３１０  上底部
３１５  環状板
３１７Ａ〜３１７Ｉ  貫通孔
【図１】
2019167135.tif 000003
【図２】
2019167135.tif 000004
【図３】
2019167135.tif 000005
【図４】
2019167135.tif 000006
【図５】
2019167135.tif 000007
【図６】
2019167135.tif 000008